(57)【要約】      （修正有）【課題】地震時の閉じ込めなど、長い間エレベータかご内に滞在しなければならない時、かご内で休憩がとれるハンモックを設置したエレベータのかごを提供する。【解決手段】かご室１と、かご枠柱と、かご枠柱に設けた止め具と、かご室とかご枠柱の一方に設けたハンモック吊り部２と、かご室とかご枠柱の他方に設けたハンモック掛け部３と、一端がハンモック吊り部に連結され他端が自由端で、使用時にハンモック掛け部に引っ掛けるハンモック４とを備え、ハンモック吊り部は、かご枠柱の一方の止め具に固定され、ハンモックに連結されたハンモック吊り具と、かご室に設けた吊り部開口と、開口を塞ぐ吊り部蓋とからなり、ハンモック掛け部は、かご枠柱の他方の止め具に固定されたハンモック掛け具と、かご室に設けた掛け部開口と、開口を塞ぐ掛け部蓋とからなり、ハンモックは、地震発生時に吊り部蓋が開かれて使用可能になる。【選択図】図１
2008037544.tif 000002
【特許請求の範囲】
【請求項１】
かご室と、
前記かご室の両側壁の外側にそれぞれ設けられ、かご室を支持する左右一対のかご枠柱と、
前記両かご枠柱にそれぞれ設けられた止め具と、
前記かご室の一側壁と前記かご枠柱の一方に設けられたハンモック吊り部と、
前記かご室の他側壁と前記かご枠柱の他方に設けられたハンモック掛け部と、
一端が前記ハンモック吊り部に連結されかつ他端が自由端となっており、使用時に他端を前記かご室内から前記ハンモック掛け部に引っ掛けることが可能なハンモックとを備え、
前記ハンモック吊り部は、前記かご枠柱の一方に設けた前記止め具に固定され、前記ハンモックの一端に連結されたハンモック吊り具と、前記かご室の一側壁に設けられた吊り部開口と、前記吊り部開口を通常時は塞いでいる吊り部蓋とから構成されており、
前記ハンモック掛け部は、前記かご枠柱の他方に設けた前記止め具に固定されたハンモック掛け具と、前記かご室の他側壁に設けられた掛け部開口と、前記掛け部開口を通常時は塞いでいる掛け部蓋とから構成されており、
前記ハンモックは、通常時は前記かご室の吊り部開口を塞いでいる吊り部蓋の外側に押し込められており、地震発生時には前記吊り部蓋が開かれることにより、使用可能な状態にされることを特徴とするエレベータのかご。
【請求項２】
ハンモック吊り部及びハンモック掛け部は、地震発生時に動作指令が与えられると、鍵を開錠して吊り部蓋及び掛け部蓋を自動的に開く電子錠を備えたことを特徴とする請求項１記載のエレベータのかご。
【請求項３】
ハンモック吊り部の吊り部蓋が自動的に開かれた時、ハンモック自身の反発力で吊り部開口よりハンモックの一部が現れることを特徴とする請求項２記載のエレベータのかご。
【請求項４】
止め具、ハンモック吊り部、ハンモック掛け部及びハンモックは、かごの床から天井まで垂直なスペースに複数設置されることを特徴とする請求項１〜請求項３のいずれかに記載のエレベータのかご。
【請求項５】
ハンモック吊り具及びハンモック掛け具を硬質ワイヤーなどで長く構成し、その中間部をかご枠上梁に巻き掛けてから止め具に固定したことを特徴とする請求項１〜請求項４のいずれかに記載のエレベータのかご。
【請求項６】
かご室の一側壁下部に設けられた非常備品収納部を備え、
前記非常備品収納部は、前記かご室の一側壁外側に突出して設けられ、内部に非常備品を収納する備品箱と、前記かご室の一側壁に設けられた収納部開口と、前記収納部開口を通常時は塞いでいる収納蓋とから構成されており、前記収納蓋は地震発生時に自動的に開かれることを特徴とする請求項１〜請求項５のいずれかに記載のエレベータのかご。
【発明の詳細な説明】
【技術分野】
【０００１】
この発明は、地震時の閉じ込めなど、長い間エレベータかご内に滞在しなければならないときにかご内で休憩がとれるエレベータのかごに関するものである。
【背景技術】
【０００２】
従来、エレベータのかご室内に収納可能な長いすを設け、かご室内の急病人やショックで倒れた乗客に対して、安静な対応による精神的負担の軽減と、年配者や身障者のサポートを可能とするエレベータのかごが提案されている（例えば、特許文献１参照）。
【０００３】
【特許文献１】特開平５−５８５７５号公報
【発明の開示】
【発明が解決しようとする課題】
【０００４】
従来のエレベータのかごでは、かご室内で倒れた急病人や年配者、身障者等のサポートを可能にするが、長いすを利用できる人員に限りがある。また、地震時の閉じ込めなど、長い間エレベータのかご内に滞在しなければならないときに、ゆったりと休めず、疲労が溜まるなど利用者の苦痛を取り除くことはできない。また、大きな長いすを収納構造とするために、かご壁の構造が複雑となり、製造コストのアップになる。また、かごの重量が重くなるという問題があった。
【０００５】
この発明は上記のような課題を解決するためになされたもので、地震時の閉じ込めなど、長い間エレベータかご内に滞在しなければならないときにかご内で休憩がとれるハンモックを設置したエレベータのかごを提供することを目的とする。
【課題を解決するための手段】
【０００６】
この発明に係るエレベータのかごは、かご室と、かご室の両側壁の外側にそれぞれ設けられ、かご室を支持する左右一対のかご枠柱と、両かご枠柱にそれぞれ設けられた止め具と、かご室の一側壁とかご枠柱の一方に設けられたハンモック吊り部と、かご室の他側壁とかご枠柱の他方に設けられたハンモック掛け部と、一端がハンモック吊り部に連結されかつ他端が自由端となっており、使用時に他端をかご室内からハンモック掛け部に引っ掛けることが可能なハンモックとを備え、ハンモック吊り部は、かご枠柱の一方に設けた止め具に固定され、ハンモックの一端に連結されたハンモック吊り具と、かご室の一側壁に設けられた吊り部開口と、吊り部開口を通常時は塞いでいる吊り部蓋とから構成されており、ハンモック掛け部は、かご枠柱の他方に設けた止め具に固定されたハンモック掛け具と、かご室の他側壁に設けられた掛け部開口と、掛け部開口を通常時は塞いでいる掛け部蓋とから構成されており、ハンモックは、通常時はかご室の吊り部開口を塞いでいる吊り部蓋の外側に押し込められており、地震発生時には吊り部蓋が開かれることにより、使用可能な状態にされるものである。
【０００７】
また、ハンモック吊り部及びハンモック掛け部は、地震発生時に動作指令が与えられると、鍵を開錠して吊り部蓋及び掛け部蓋を自動的に開く電子錠を備えたものである。
【０００８】
また、ハンモック吊り部の吊り部蓋が自動的に開かれた時、ハンモック自身の反発力で吊り部開口よりハンモックの一部が現れるものである。
【０００９】
また、止め具、ハンモック吊り部、ハンモック掛け部及びハンモックは、かごの床から天井まで垂直なスペースに複数設置されるものである。
【００１０】
また、ハンモック吊り具及びハンモック掛け具を硬質ワイヤーなどで長く構成し、その中間部をかご枠上梁に巻き掛けてから止め具に固定したものである。
【００１１】
また、かご室の一側壁下部に設けられた非常備品収納部を備え、非常備品収納部は、かご室の一側壁外側に突出して設けられ、内部に非常備品を収納する備品箱と、かご室の一側壁に設けられた収納部開口と、収納部開口を通常時は塞いでいる収納蓋とから構成されており、収納蓋は地震発生時に自動的に開かれるものである。
【発明の効果】
【００１２】
この発明によれば、地震時の閉じ込めなど、長い間エレベータかご内に滞在を余儀なくされても、ハンモックで休養が取れるため、疲労感を和らげられる。また、ハンモックは布などで軽量に出来ているので、かご重量を増さずに設置することができる。また、ハンモックはかご枠を介して吊ることができるので、元々のかご枠強度の中で設置することができ、かご壁の強度アップが不要となる。また地震発生時に自動的にハンモックを使える状態にするので、利用者は簡単にハンモックを利用することができる。
【発明を実施するための最良の形態】
【００１３】
実施の形態１.
図１はこの発明の実施の形態１におけるエレベータのかごの室内概略構造を示す斜視図、図２はこの発明の実施の形態１におけるエレベータかごの外観構造を示す斜視図、図３は図１のＡ−Ａ線に沿った要部の断面図、図４は図１のＢ−Ｂ線に沿った要部の断面図、図５は図１のＣ−Ｃ線に沿った要部の断面図、図６はこの発明の実施の形態１におけるエレベータのかごの動作を説明するためのフローチャートである。
【００１４】
図において、１はエレベータのかご室、１Ａはかご室１の両側壁の外側にそれぞれ設けられ、かご室１を支持する左右一対のかご枠柱、１Ｂはかご室１の上側壁の外側に設けられ、両かご枠柱１Ａ間を連結するかご枠上梁、１Ｃは両かご枠柱１Ａの上下方向の複数個所に設けられた止め具、２はかご室１の一側壁とかご枠柱１Ａの一方に設けられた複数のハンモック吊り部である。この各ハンモック吊り部２は、かご枠柱１Ａの一方に設けられた止め具１Ｃに引っ掛け固定され、硬質ワイヤーなどで構成されたハンモック吊り具２Ａと、かご室１の一側壁に設けられた吊り部開口２Ｂと、この吊り部開口２Ｂを通常時は塞いでいる吊り部蓋２Ｃとから構成されている。３はかご室１の他側壁とかご枠柱１Ａの他方に設けられた複数のハンモック掛け部である。この各ハンモック掛け部３は、かご枠柱１Ａの他方に設けられた止め具１Ｃに引っ掛け固定され、硬質ワイヤーなどで構成されたハンモック掛け具３Ａと、かご室１の他側壁に設けられた掛け部開口３Ｂと、この掛け部開口３Ｂを通常時は塞いでいる掛け部蓋３Ｃとから構成されている。４は布などの軽量な材料からなる複数のハンモックで、その一端はハンモック吊り具２Ａに強固に連結されており、他端は自由端となっている。このハンモック４は、通常時はかご室１の吊り部開口２Ｂの外側、すなわち、かご室１とかご枠柱１Ａとの間に押し込められた状態で、吊り部開口２Ｂが吊り部蓋２Ｃにより塞がれている。５はかご室１の一側壁下部に設けられた非常備品収納部である。この非常備品収納部５は、かご室１の一側壁外側に突出して設けられ、内部に組立てトイレ、水、薬などを収納する備品箱５Ａと、かご室１の一側壁に設けられた収納部開口５Ｂと、この収納部開口５Ｂを通常時は塞いでいる収納蓋５Ｃとから構成されている。６はハンモック吊り部２、ハンモック掛け部３及び非常備品収納部５にそれぞれ設けられた電子錠で、動作指令が与えられると、吊り部開口２Ｂとこれを塞いでいる吊り部蓋２Ｃとの鍵（図示せず）を開錠して、吊り部蓋２Ｃを開く構成になっている。なお、掛け部開口３Ｂとこれを塞いでいる掛け部蓋３Ｃとの鍵（図示せず）を開錠して、吊り部蓋２Ｃを開く構成、及び収納部開口５Ｂとこれを塞いでいる収納蓋５Ｃとの鍵（図示せず）を開錠して、収納蓋５Ｃを開く構成も同様である。
【００１５】
地震発生時の閉じ込めなど、長い間エレベータかご内に滞在を余儀なくされたときは、ハンモック吊り部２の吊り部蓋２Ｃが自動的に開き、ハンモック４自身の反発力で吊り部開口２Ｂよりハンモック４の一部が現れる状態となるので、ハンモック４を使うことをかご室１内に知らせることができる。そこで、かご内の利用者はハンモック４を引っ張って広げ、ハンモック４の他端を同じく自動的に蓋が開いたハンモック掛け部３の掛け部開口３Ｂを通してハンモック掛け具３Ａに掛けることにより、複数のハンモック４を使用可能な状態に展開することができ、疲れたエレベータ利用者が休養を取ることができる。また、同様に、非常備品収納部５の収納蓋５Ｃも開くので、備品箱５Ａに収納されている組立てトイレ、水、薬などを利用することができる。
【００１６】
次に、電子錠６の開錠動作について、図６により説明する。
通常時は、ハンモック４は、かご室１の吊り部開口２Ｂの外側、すなわち、かご室１とかご枠柱１Ａとの間に押し込められた状態で、吊り部開口２Ｂが吊り部蓋２Ｃにより塞がれ、電子錠６の鍵が閉じられている。同様に掛け部開口３Ｂが掛け部蓋３Ｃにより塞がれ、収納部開口５Ｂが収納蓋５Ｃにより塞がれ、それぞれの電子錠６の鍵が閉じられている。
今、大地震が発生し、地震感知器などが動作したとき（ステップＳ１）、電子錠６に動作指令が与えられ、その鍵を開錠して（ステップＳ２）、各蓋２Ｃ、３Ｃ、５Ｃがそれぞれオープンする（ステップＳ３）。これにより、複数のハンモック４を使用可能な状態に展開することができるとともに、非常備品も使用可能となる。
【００１７】
以上のように、この発明の実施の形態１によれば、地震時の閉じ込めなど、長期にわたってかご内に滞在を余儀なくされても、ハンモックで休養を取りながら救出を待つことができるので、疲労感を和らげることができ、体力を温存することができる。また、ハンモックはかごの床から天井まで垂直なスペースに複数設置できるため、利用者人数が限られてしまう長いすなどに比べ多くの人が休養を取れるスペースを設けることができる。また、ハンモックは布などで軽量に出来ているので、長いすを設置するものに比べかご重量を増さずに設置することができる。また、ハンモックはかご枠を介して吊ることができるので、元々のかご枠強度の中で設置することができ、かご壁の強度アップが不要となる。また、地震発生時に自動的にハンモックを使える状態にするので、利用者は簡単にハンモックを利用することができる。また、閉じ込め時に非常備品収納部の蓋が開くので、薬や水などを非常用として利用することができる。
【００１８】
実施の形態２.
図７はこの発明の実施の形態２におけるエレベータかごの外観構造を示す斜視図である。
【００１９】
上記実施の形態では、ハンモック４の一端を支持するハンモック吊り具２Ａと、ハンモック４の他端を引っ掛け支持するハンモック掛け具３Ａを、かご枠柱１Ａに設けられた止め具１Ｃに直接固定するようにしたが、この実施の形態２においては、ハンモック４の吊り下げ強度を安定化させるために、硬質ワイヤーなどで構成されたハンモック吊り具２Ａ及びハンモック掛け具３Ａを長くし、その中間部をかご上梁１Ｂ上に掛け回してから、かご枠柱１Ａに設けられた止め具１Ｃに固定している。
【００２０】
この発明の実施の形態２によれば、実施の形態１とほぼ同様の効果が得られ、さらにハンモックの吊り下げ強度を安定化させることができる。
【図面の簡単な説明】
【００２１】
【図１】この発明の実施の形態１におけるエレベータのかごの室内概略構造を示す斜視図である。
【図２】この発明の実施の形態１におけるエレベータかごの外観構造を示す斜視図である。
【図３】図１のＡ−Ａ線に沿った要部の断面図である。
【図４】図１のＢ−Ｂ線に沿った要部の断面図である。
【図５】図１のＣ−Ｃ線に沿った要部の断面図である。
【図６】この発明の実施の形態１におけるエレベータのかごの動作を説明するためのフローチャートである。
【図７】この発明の実施の形態２におけるエレベータかごの外観構造を示す斜視図である。
【符号の説明】
【００２２】
１  かご室
１Ａ  かご枠柱
１Ｂ  かご枠上梁
１Ｃ  止め具
２  ハンモック吊り部
２Ａ  ハンモック吊り具
２Ｂ  吊り部開口
２Ｃ  吊り部蓋
３  ハンモック掛け部
３Ａ  ハンモック掛け具
３Ｂ  掛け部開口
３Ｃ  掛け部蓋
４  ハンモック
５  非常備品収納部
５Ａ  備品箱
５Ｂ  収納部開口
５Ｃ  収納蓋
６  電子錠
【図１】
2008037544.tif 000003
【図２】
2008037544.tif 000004
【図３】
2008037544.tif 000005
【図４】
2008037544.tif 000006
【図５】
2008037544.tif 000007
【図６】
2008037544.tif 000008
【図７】
2008037544.tif 000009